(57)【要約】【課題】本体キャビネットの変形を防止して高い防盗機能を確保する。【解決手段】前面が開口した本体キャビネット（外箱１ａ）と、このこの本体キャビネットの前面にヒンジにより開閉自在に取付けられた外扉２に扉ロック機構を備えたものであって、外扉２と本体キャビネットの外箱１ａとの合わせ面を外側から覆う防盗板１３を設けた自動販売機において、外箱１ａにおける前記防盗板１３の庇部１３ａと対峙する側壁の内側に張り出して当該側壁が内側に変形するのを防止する変形防止部材１５を設け、防盗板１３における庇部１３ａの先端と外箱１ａとの間の隙間から工具がこじ入れられて外箱１ａ（側壁）が内側に変形した場合にも側壁が変形防止部材１５に当接したそれ以上変形するのを防止する。【選択図】　　　　図１
2004094868.tif 000002
【特許請求の範囲】
【請求項１】
本体キャビネットの前面にヒンジにより開閉自在に取付けられた外扉に扉ロック機構を備え、該外扉のヒンジと反対側の扉側縁から背後に張り出して外扉と本体キャビネットの外箱との合わせ面を外側から覆う防盗板を設けたものにおいて、
前記本体キャビネットにおける前記防盗板と対峙する側壁の内側に張り出して当該側壁が内側に変形するのを防止する変形防止部材を設けたことを特徴とする自動販売機の防盗装置。
【請求項２】
請求項１記載の防盗装置において、変形防止部材は外扉に固着されていることを特徴とする自動販売機の防盗装置。
【請求項３】
請求項１記載の防盗装置において、変形防止部材は本体キャビネットの外箱に固着されていることを特徴とする自動販売機の防盗装置。
【請求項４】
請求項１記載の防盗装置において、変形防止部材は外扉および本体キャビネットの外箱にそれぞれ取付けられていることを特徴とする自動販売機の防盗装置。
【発明の詳細な説明】
【０００１】
【発明の属する技術分野】
本発明は、本体キャビネットの前面に開閉自在に取付けられた外扉がこじあけられて機内から貨幣などが盗難されるのを防止する自動販売機の防盗装置に関する。
【０００２】
【従来の技術】
まず、自動販売機の構成を図５に示す。図において、１は前面が開口した断熱筐体として形成され、庫内に商品収納ラックを搭載した自動販売機の本体キャビネット、２は本体キャビネット１の前面開口を覆うようヒンジ金具２ａを介して本体キャビネット１の前面に取付けた片開き式の外扉、３は外扉２のヒンジ金具２ａと反対側に設けた錠付きの扉ロック機構におけるハンドルであり、該ハンドル３を操作することにより閉位置に鎖錠された扉ロック機構のロックを解除して外扉２を開閉する。４は外扉２に形成された商品見本を展示するディスプレイ室、５は商品取出口、６はコイン投入口、７は紙幣挿入口、８は釣銭返却口であり、図示してないが外扉２の裏面には通貨関連機器としてコイン制御機構，紙幣鑑別装置，コイン回収ボックスなどを装備している。
【０００３】
次に、外扉２の扉ロック機構を図６に示す。図６において、９は扉ロック機構におけるハンドル３の後端に連結した釈放用レバー、１０は釈放用レバー９に連繋して外扉２に装備されたスライダーロック、１１はスライダーロック１０に対向して本体キャビネット１の外箱前端に設けたフック板である。ここで、スライダーロック１０は、良く知られているように、スライダーロック１０に形成した上下方向の長溝に段付きねじを挿通し、当該段付きねじを外扉２に固着することによって上下方向にスライド可能に支持されたＵチャンネル体として形成されている。スライダーロック１０の壁面には前記釈放用レバー９およびフック板１１が嵌入する角穴１０ａ，１０ｂが開口している。また、フック板１１はその取付基部を本体キャビネット１の外箱に固定し、前方に突き出した部分の上縁に凹溝１１ａが形成されている。
【０００４】
上記構成の扉ロック機構は周知であり、外扉２を閉じた状態ではスライダーロック１０がフック板１１の凹溝１１ａに係合して外扉２を閉位置に鎖錠している。この状態から鍵１２を使って扉ロック機構のリンダー錠を解錠した上で、ハンドル３を開位置に回すと釈放用レバー９が図示鎖線位置から実線位置に回動してスライダーロック１０を上方に引き上げる。これにより、スライダーロック１０とフック板１１との係合が外れて外扉２を自由に開くことができるようになる。（例えば、特許文献１または特許文献２参照）。
【０００５】
しかしながら、前記した扉ロック機構を取付けただけでは、防盗性に次記のような弱点がある。すなわち、外扉２を閉じた扉ロックの状態でも、外扉２と本体キャビネット１との合わせ面に残る隙間ｇ（図６　（ａ）　参照）に外部からバールなどの工具をこじ入れ、扉ロック機構を破壊した上で外扉２を開いて機内から金銭，商品を盗み出す手口の盗難を防ぐことができない。
【０００６】
そこで、本特許出願人は、前記した盗み手口の防盗対策として、図７に示すように、外扉２の側縁（扉ロック機構を設けた扉の側縁側）に沿って扉枠から背後に張り出し、外扉２と本体キャビネット１との間の合わせ面を隠すように外側から覆う庇状の防盗板１３を設けた防盗構造を出願した（特願２００２−１８８１７５号）。
【０００７】
この防盗板１３は鋼板の板金製品になり、外扉２から背後に張り出す庇部１３ａをダブルホールドの重ね折り構造で形成し、この庇部１３ａから延在する二股状の取付基部１３ｂ，１３ｃを扉枠２１に重ね合わせて固着している。前記防盗板１３を外扉２に装備することにより、外扉２と本体キャビネット１との間の合わせ面にバールなどを直接こじ入れることができなくとともに、庇部１３ａをダブルホールドした重ね折り構造とすることで曲げ強度が大幅に増強されて防盗性が高まる。なお、２２はディスプレイ室４（図５参照）の前面を覆う透明パネルであり、２３は前記透明パネル２２を扉枠２１に固定する取付金である。
【０００８】
【特許文献１】
特許第３１４６８２０号公報
【特許文献２】
特開平１１−５３６３１号公報
【０００９】
【発明が解決しようとする課題】
前記防盗板１３は外扉２と本体キャビネット１との間の合わせ面にバールなどを直接こじ入れることを防止するうえで有効である。しかしながら、本体キャビネット１（外箱１ａ）はその前面が開口しており、外箱１ａの側壁は上下両端に比べて中央に近づくほど内側に変形し易い構造となっている。したがって、図７に示すように防盗板１３の庇部１３ａの先端と本体キャビネットの外箱１ａとの間の残る隙間へ矢印Ｐ方向（外扉２の後方側）からバールをこじ入れられた場合、防盗板１３の庇部１３ａを支点として「てこの原理」により外箱１ａ（側壁）が内側に変形してしまい、防盗板１３の庇部１３ａの先端と本体キャビネットの外箱１ａとの間の隙間が広がり、防盗板の機能が失われてしまうという問題を有する。
【００１０】
本発明は上記の点に鑑みなされたものであり、その目的は前記課題を解決し、本体キャビネットの変形を防止して高い防盗機能を確保することができる自動販売機の防盗装置を提供することにある。
【００１１】
【課題を解決するための手段】
上記目的を達成するために本発明によれば、本体キャビネットの前面にヒンジにより開閉自在に取付けられた外扉に扉ロック機構を備え、該外扉のヒンジと反対側の扉側縁から背後に張り出して外扉と本体キャビネットの外箱との合わせ面を外側から覆う防盗板を設けたものにおいて、前記本体キャビネットにおける前記防盗板と対峙する側壁の内側に張り出して当該側壁が内側に変形するのを防止する変形防止部材を設けたことを特徴とする（請求項１）。
【００１２】
本発明における変形防止部材は外扉に固着したり（請求項２）、本体キャビネットの外箱に固着する（請求項３）ことができ、また、外扉および本体キャビネットの外箱のそれぞれに変形防止部材を取付けることができる（請求項４）。
前述したように、本体キャビネットにおける防盗板と対峙する側壁の内側に張り出して当該側壁が内側に変形するのを防止する変形防止部材を設けたことより、本体キャビネットにおける外箱の変形が防止される。したがって、防盗板の庇部の先端と本体キャビネットの外箱との間の隙間が広がることがないので防盗板の機能が損なわれることがなく、防盗性を高めることができる。
【００１３】
【発明の実施の形態】
以下、本発明の実施の形態を図に示す実施例により説明する。なお、実施例の図中で図７に対応する部材には同一の符号を付してその説明は省略する。
（実施例１）
図１は本発明の実施例１を示す自動販売機の要部構造の横断面図であり、図示実施例１において従来と異なる点は、変形防止部材として断面Ｌ形の変形防止板１５を設けた点である。この変形防止板１５は短冊状の鋼板をＬ形に折り曲げて形成されており、Ｌ形の一方の脚片を防盗板１３の取付基部１３ｃに溶接またはねじにより固着したものである。その際、変形防止板１５は、Ｌ形の他方の脚片が防盗板１３の庇部１３ａと対峙する本体キャビネットにおける外箱１ａ（側壁）の内側に張り出すように配置されている。また、変形防止板１５にはスライダーロック１０と同様にフック板１１が貫通する角穴（不図示）が開口されている。前記フック板１１は本体キャビネット１における外箱１ａの前端に複数配設されており、例えば、上段，中央，下段にそれぞれ設けられている場合には、変形防止板１５に上段，中央，下段の３つのフック板１１に対応して３個の角穴が形成されている。
【００１４】
上記のように変形防止板１５を取付けた実施例１において、防盗板１３の庇部１３ａの先端と本体キャビネットの外箱１ａとの間の残る隙間へ矢印Ｐ方向（外扉２の後方側）からバールなどがこじ入れられた場合、本体キャビネット１における外箱１ａ（側壁）が内側に変形しようとするが、外箱１ａが変形防止板１５の他方の脚片に当接することによりそれ以上の外箱１ａの内側への変形が防止される。したがって、防盗板１３の庇部１３ａの先端と本体キャビネットの外箱１ａとの間の隙間が広がることがなく、防盗板１３の機能が損なわれることがない。
【００１５】
なお、この実施例１では、変形防止板１５が上下方向に長く、複数のフック板１１に対応する複数の角穴が開口された一つの部材で形成されているものについて説明したが、上下方向に長い一つの部材からなる変形防止板１５にあっては、フック板１１の個数が異なる機種ごとにそれぞれ異なる変形防止板を用意する必要がある。そこで、フック板１１の個数に関係なく、それぞれの機種に共通の変形防止板とするために、変形防止板を複数に分割するのがよい。すなわち、フック板の個数が最大の機種における隣接するフック板１１の間に変形防止板が収まるように変形防止板を分割し、フック板の上下に分割した変形防止板を配備することにより、機種に関係なく変形防止板を共用することが可能となる。
（実施例２）
図２は本発明の実施例２を示す自動販売機の要部構造の横断面図であり、図示実施例２において実施例１と異なるところは、変形防止部材としての変形防止板１６の形状である。すなわち、実施例２における変形防止板１６は断面略Ｚ形に形成され、防盗板１３の庇部１３ａと対峙する本体キャビネットにおける外箱１ａ（側壁）の内側に張り出す脚片より内側に向けて延在された脚片の自由端が扉枠２１に当接するように配置されている。前記実施例１においては、防盗板１３の庇部１３ａの先端と本体キャビネットの外箱１ａとの間の残る隙間へ矢印Ｐ方向（外扉２の後方側）からバールなどがこじ入れられて外箱１ａ（側壁）が内側に変形し、外箱１ａが変形防止板１５に当接したとき、変形防止板１５自身が撓んでしまうおそれがある。これに対して実施例２においては、外箱１ａが内側に変形して外箱１ａが変形防止板１６に当接したときにも変形防止板１６は扉枠２１に当接していることにより撓むことがなく、防盗板１３の庇部１３ａの先端と本体キャビネットの外箱１ａとの間の隙間がそれ以上広がることがなく、防盗板１３による高い防盗機能が発揮される。
（実施例３）
図３は本発明の実施例３を示す自動販売機の要部構造の横断面図であり、図示実施例３において実施例２と異なるところは、変形防止部材としての変形防止板１７の形状である。すなわち、実施例３における変形防止板１７は、実施例２における断面略Ｚ形に形成された変形防止板１６の自由端側を更に延在して折り曲げるとともに、その先端を、透明パネル２２を扉枠２１に固定する取付金２３の上に重ね合わせるか、または、取付金２３と互い違いにかみ合わせてねじ２４により共締めしている。したがって、この実施例３によれば実施例２の効果を更に高めることができる。
（実施例４）
図４は本発明の実施例４を示す自動販売機の要部構造の横断面図であり、図示実施例４が実施例１〜３と異なる点は、変形防止部材としての変形防止板１８が本体キャビネット１の外箱１ａ側に取付けられている点である。この変形防止板１８は断面略Ｚ形に形成され、Ｚ形の一方の脚片が外箱１ａに溶接により固着され、他方の脚片が扉枠２１に対峙して配置されている。この実施例４において、防盗板１３の庇部１３ａの先端と本体キャビネットの外箱１ａとの間の残る隙間へ矢印Ｐ方向（外扉２の後方側）からバールなどがこじ入れられて本体キャビネット１における外箱１ａ（側壁）が内側に変形した場合、外箱１ａの内側への変形に伴って変形防止板１８が内側に移動し、変形防止板１８の他方の脚片が扉枠２１に当接することによりそれ以上の外箱１ａの内側への変形が防止される。これにより、防盗板１３の庇部１３ａの先端と本体キャビネットの外箱１ａとの間の隙間が広がることがなく、防盗板１３の機能が損なわれることがない。
【００１６】
なお、前述した実施例１〜実施例３においては変形防止部材を外扉２側に固定したもの、実施例４においては変形防止部材を本体キャビネット１の外箱１ａ側に固着したものについて説明したが、実施例１〜実施例３と実施例４とを組み合わせること、すなわち、外扉２および外箱１ａにそれぞれ変形防止部材を固着して配備することもできるものである。
【００１７】
【発明の効果】
以上述べたように本発明によれば、本体キャビネットの前面にヒンジにより開閉自在に取付けられた外扉に扉ロック機構を備え、該外扉のヒンジと反対側の扉側縁から背後に張り出して外扉と本体キャビネットの外箱との合わせ面を外側から覆う防盗板を設けたものにおいて、前記本体キャビネットにおける前記防盗板と対峙する側壁の内側に張り出して当該側壁が内側に変形するのを防止する変形防止部材を設けたことにより、本体キャビネットの外箱（側壁）が内側に変形するのを防止することができることから防盗板の機能が損なわれることがなく防盗性を大幅に高めることかできる。
【図面の簡単な説明】
【図１】本発明の実施例１を示す自動販売機の要部構造の横断面図
【図２】本発明の実施例２を示す自動販売機の要部構造の横断面図
【図３】本発明の実施例３を示す自動販売機の要部構造の横断面図
【図４】本発明の実施例４を示す自動販売機の要部構造の横断面図
【図５】自動販売機の構成を示す正面図
【図６】図５の自動販売機に装備した扉ロックの機構図で、（ａ），（ｂ）　はそれぞれ側面図，および背面図
【図７】従来における防盗板付き外扉を示す要部構造の横断面図
【符号の説明】
１　　自動販売機の本体キャビネット
１ａ　外箱
２　　外扉
１０　　スライダーロック
１１　　フック板
１３　　防盗板
１３ａ　庇部
１５　　変形防止板（変形防止部材）
１６　　変形防止板（変形防止部材）
１７　　変形防止板（変形防止部材）
１８　　変形防止板（変形防止部材）
【図１】
2004094868.tif 000003
【図２】
2004094868.tif 000004
【図３】
2004094868.tif 000005
【図４】
2004094868.tif 000006
【図５】
2004094868.tif 000007
【図６】
2004094868.tif 000008
【図７】
2004094868.tif 000009